(57)【要約】      （修正有）【課題】動いても腰に巻き付けた状態を安定に維持し、有効に使用者の下半身を保温する腰巻き用毛布を提供する。【解決手段】毛布本体２０の上縁部に沿って第１側縁部２２ａ・第２側縁部２２ｂ間のほぼすべての部分において設けられ、当該部分を弾性的な収縮状態にするゴム紐３０と、毛布本体２０のおもて面２５Ａにおける上縁部であって第１側縁部２２ａ及びその近傍にわたって設けられ、毛布本体２０の上縁部に沿って延びる第１取付布４０ａと、毛布本体２０の裏面２５Ｂにおける上縁部であって第２側縁部２２ｂ及びその近傍にわたって設けられ、毛布本体２０の上縁部に沿って延びる第２取付布４０ｂと、第１取付布４０ａに、その長さ方向に沿って固定された複数のオス側ホック５０ａと、第２取付布４０ｂに、その長さ方向に沿って固定された複数のメス側ホック５０ｂとを有する。【選択図】図１
0003184078.tif 000002
【実用新案登録請求の範囲】
【請求項１】
使用者の腰に巻き付けて使用される腰巻き用毛布であって、
上縁部及び下縁部並びにその両者をつなぐ一対の側縁部を有する毛布本体と、
前記毛布本体の前記上縁部に沿って前記一対の側縁部の間の一部又はすべての部分にわたって設けられ、当該部分を弾性的な収縮状態にするゴム紐と、
前記毛布本体のおもて面において前記一対の側縁部のうちの一方の側縁部及びその近傍にわたって当該毛布本体の前記上縁部に沿って設けられたオス側結合部材及び／又はメス側結合部材と、
前記オス側結合部材及び／又はメス側結合部材に対応して、前記毛布本体の裏面において前記一対の側縁部のうちの他方の側縁部及びその近傍にわたって当該毛布本体の前記上縁部に沿って設けられたメス側結合部材及び／又はオス側結合部材とを有し、
前記オス側結合部材及び／又はメス側結合部材の全部又は一部と、前記メス側結合部材及び／又はオス側結合部材とが着脱可能に結合するものである、
腰巻き用毛布。
【請求項２】
使用者の腰に巻き付けて使用される腰巻き用毛布であって、
上縁部及び下縁部並びにその両者をつなぐ一対の側縁部を有する毛布本体と、
前記毛布本体の前記上縁部に沿って当該毛布本体の前記一対の側縁部の間の一部又はすべての部分にわたって設けられ、当該部分を弾性的な収縮状態にするゴム紐と、
前記毛布本体のおもて面において、前記上縁部又はその近傍であって前記一対の側縁部のうちの一方の側縁部及びその近傍にわたって設けられ、前記毛布本体の前記上縁部に沿って延びる第１取付布と、
前記毛布本体の裏面において、前記上縁部又はその近傍であって前記一対の側縁部のうちの他方の側縁部及びその近傍にわたって設けられ、前記毛布本体の前記上縁部に沿って延びる第２取付布と、
前記第１取付布に、その長さ方向に沿って固定された複数のオス側ホック及び／又はメス側ホックと、
前記複数のオス側ホック及び／又はメス側ホックに対応して、前記第２取付布に、その長さ方向に沿って固定された複数のメス側ホック及び／又はオス側ホックと
を有する、腰巻き用毛布。
【請求項３】
請求項２に記載の腰巻き用毛布であって、
前記毛布本体は、化学繊維によって形成されており、
前記第１取付布及び前記第２取付布は、天然繊維によって形成されている、
腰巻き用毛布。
【請求項４】
請求項２又は請求項３に記載の腰巻き用毛布であって、
前記複数のオス側ホック及び／又はメス側ホック、並びに、前記複数のメス側ホック及び／又はオス側ホックは、すべて同一の間隔を隔てて設けられている、
腰巻き用毛布。
【考案の詳細な説明】
【技術分野】
【０００１】
本考案は、腰に巻いて使用する毛布に関するものである。
【背景技術】
【０００２】
冬期等の寒い時期には、一般的には、屋内においては、エアコン（温風器）やストーブ等によって暖房が行われる。
暖房によって暖められた空気は、冷たい空気よりも質量密度が低いため、上方に向かう。このことによって、通常は、屋内においては、上方の温度が高く、下方の温度が低い状態となる。
一方では、特に勉強や頭脳労働等を行う際には、頭の近傍の温度はあまり高くない方が好ましく、いわゆる「頭寒足熱」が理想であるといわれている。すなわち、通常の暖房では理想とは逆の状態になってしまうのである。
【０００３】
また、同じく冬期等の寒い時期には、屋外においては、コート等を着用することが一般的である。しかし、コートは上半身を含んで体を覆うため、コートを着用した場合には、上半身を動かしづらいという欠点がある。
【０００４】
そこで、腰に毛布を巻き付けて下半身を保温することも考慮されている。すなわち、毛布をその上縁部において腰に巻き付け、毛布で下半身を覆うのである。
しかしながら、単に腰に毛布を巻き付けたのみでは、次のような欠点がある。
すなわち、それでは、椅子に座っている間であっても、多少でも体を動かすことが繰り返されることによって、毛布がはだけてきて、毛布による保温効果が減少する。
さらには、起立しつつ動いている状態では、腰に毛布を巻き付けた状態を安定的に維持することができず、腰に毛布を巻き付けたまま家事等の立ち仕事を行うことは不可能である。
【０００５】
なお、本考案に関連する先行技術として、特許文献１に記載されているものがある。
【先行技術文献】
【特許文献】
【０００６】
【特許文献１】特開平０７−２５２７０５号公報
【考案の概要】
【考案が解決しようとする課題】
【０００７】
本考案は、毛布を用いて有効に使用者の下半身を保温することを可能にすることを課題とする。
【課題を解決するための手段】
【０００８】
この課題を解決するために、請求項１に係る考案は、使用者の腰に巻き付けて使用される腰巻き用毛布であって、上縁部及び下縁部並びにその両者をつなぐ一対の側縁部を有する毛布本体と、前記毛布本体の前記上縁部に沿って前記一対の側縁部の間の一部又はすべての部分にわたって設けられ、当該部分を弾性的な収縮状態にするゴム紐と、前記毛布本体のおもて面において前記一対の側縁部のうちの一方の側縁部及びその近傍にわたって当該毛布本体の前記上縁部に沿って設けられたオス側結合部材及び／又はメス側結合部材と、前記オス側結合部材及び／又はメス側結合部材に対応して、前記毛布本体の裏面において前記一対の側縁部のうちの他方の側縁部及びその近傍にわたって当該毛布本体の前記上縁部に沿って設けられたメス側結合部材及び／又はオス側結合部材とを有し、前記オス側結合部材及び／又はメス側結合部材の全部又は一部と、前記メス側結合部材及び／又はオス側結合部材とが着脱可能に結合するものである、腰巻き用毛布である。
【０００９】
「オス側結合部材」「メス側結合部材」としては、面ファスナを構成するオス側面ファスナ・メス側面ファスナ，ホックを構成するオス側ホック・メス側ホック，ボタン・ボタン孔等がある。
「…の側縁部及びその近傍にわたって当該毛布本体の前記上縁部に沿って設けられた」には、帯状の面ファスナ（オス側面ファスナ・メス側面ファスナ）が毛布本体の上縁部に沿って延びる、という態様のように、当該上縁部に沿って連続的に延びる場合のほか、複数のホック（オス側ホック・メス側ホック）や複数の細切れ状（小片状）の面ファスナ（オス側面ファスナ・メス側面ファスナ）が当該上縁部に沿って点在する、という態様のように、当該上縁部に沿って断続的に設けられる場合がある。
【００１０】
「…オス側結合部材及び／又はメス側結合部材」の代表例としては、１）１つのオス側結合部材の場合や、複数の結合部材が設けられ、そのすべてがオス側結合部材の場合，２）１つのメス側結合部材の場合や、複数の結合部材が設けられ、そのすべてがメス側結合部材の場合がある。その他の例として、３）複数の結合部材が設けられ、当該複数の結合部材として、オス・メス・オス・メス・…の順に結合部材が設けられている場合がある。
それに対応して、「…メス側結合部材及び／又はオス側結合部材」の代表例としては、１）１つのメス側結合部材の場合や、複数の結合部材が設けられ、そのすべてがメス側結合部材の場合，２）１つのオス側結合部材の場合や、複数の結合部材が設けられ、そのすべてがオス側結合部材の場合がある。その他の例として、３）複数の結合部材が設けられ、当該複数の結合部材として、メス・オス・メス・オス・…の順に結合部材が設けられている場合がある。
【００１１】
「毛布本体のおもて面」とは、完成状態の腰巻き毛布の毛布本体のおもて側の面のことをいう。同様に、「毛布本体の裏面」とは、完成状態の腰巻き毛布の毛布本体の裏側の面のことをいう。また、「毛布本体の上縁部，下縁部，側縁部」についても同様である。
これらのことは、請求項２に係る考案等においても同様である。
【００１２】
この考案の腰巻き用毛布では、一方の側縁部及びその近傍にわたるオス側結合部材及び／又はメス側結合部材の全部又は一部と、他方の側縁部及びその近傍にわたるメス側結合部材及び／又はオス側結合部材の全部又は一部とが各々結合されることによって、毛布本体の上縁部において、一方の側縁部（及びその近傍）と他方の側縁部（及びその近傍）とが結合される。こうして、毛布本体は、全体として筒状をなすこととなる。
このため、この考案の腰巻き用毛布は、ゴム紐を弾性的に伸ばしつつ、その上縁部において使用者の腰（ウエスト部）に巻き付けるようにして取り付けられることによって、使用者の下半身を筒状に覆うこととなる。
【００１３】
その際、毛布本体のおもて面のオス側結合部材及び／又はメス側結合部材、並びに、毛布本体の裏面の側縁部及びその近傍のメス側結合部材及び／又はオス側結合部材は、ともに、毛布本体の各々の側縁部及びその近傍にわたって毛布本体の上縁部に沿って設けられているため、上述の結合の際に、重ね代を有し得ることとなる。
このため、この考案の腰巻き用毛布では、使用中において、筒状をなす毛布本体の一対の側縁部の隙間からはだけることが防止又は低減され得る。
【００１４】
また、この考案の腰巻き用毛布では、毛布本体の上縁部に沿ってゴム紐が設けられ、毛布本体の当該部分が弾性的な収縮状態にされているため、そのゴム紐が弾性的に伸ばされることによって、種々のウエストサイズの使用者に対しても取り付け可能である。
また、その取り付け状態において、ゴム紐の弾性復元力に基づいて、毛布本体のうちゴム紐が設けられている部分に張力が生じ、その張力によって、使用者の腰に取り付けられた状態が、より確実に維持される。
こうして、使用者の下半身を安定的に保温することが可能となるのである。
以上のように、この考案の腰巻き用毛布では、使用者の下半身を有効に保温することが可能である。
【００１５】
請求項２に係る考案は、使用者の腰に巻き付けて使用される腰巻き用毛布であって、上縁部及び下縁部並びにその両者をつなぐ一対の側縁部を有する毛布本体と、前記毛布本体の前記上縁部に沿って当該毛布本体の前記一対の側縁部の間の一部又はすべての部分にわたって設けられ、当該部分を弾性的な収縮状態にするゴム紐と、前記毛布本体のおもて面において、前記上縁部又はその近傍であって前記一対の側縁部のうちの一方の側縁部及びその近傍にわたって設けられ、前記毛布本体の前記上縁部に沿って延びる第１取付布と、前記毛布本体の裏面において、前記上縁部又はその近傍であって前記一対の側縁部のうちの他方の側縁部及びその近傍にわたって設けられ、前記毛布本体の前記上縁部に沿って延びる第２取付布と、前記第１取付布に、その長さ方向に沿って固定された複数のオス側ホック及び／又はメス側ホックと、前記複数のオス側ホック及び／又はメス側ホックに対応して、前記第２取付布に、その長さ方向に沿って固定された複数のメス側ホック及び／又はオス側ホックとを有する、腰巻き用毛布である。
【００１６】
「…複数のオス側ホック及び／又はメス側ホック」の代表例としては、１）そのすべてがオス側ホックの場合，２）そのすべてがメス側ホックの場合がある。その他の例として、３）オス・メス・オス・メス・…の順にホックが設けられている場合がある。
それに対応して、「…複数のメス側ホック及び／又はオス側ホック」の代表例としては、１）そのすべてがメス側ホックの場合，２）そのすべてがオス側ホックの場合がある。その他の例として、３）メス・オス・メス・オス・…の順にホックが設けられている場合がある。
【００１７】
この考案の腰巻き用毛布では、請求項１に係る考案の腰巻き用毛布と同様に、次の作用効果が得られる。
【００１８】
すなわち、一方の側縁部及びその近傍にわたる複数のオス側ホック及び／又はメス側ホック（そのうちの一部のみの場合を含む）と、他方の側縁部及びその近傍にわたる複数のメス側ホック及び／又はオス側ホック（そのうちの一部のみの場合を含む）とが各々結合されることによって、毛布本体の上縁部又はその近傍において、一方の側縁部（及びその近傍）と他方の側縁部（及びその近傍）とが結合される。こうして、毛布本体は、全体として筒状をなすこととなる。
このため、この考案の腰巻き用毛布は、ゴム紐を弾性的に伸ばしつつ、その上縁部において使用者の腰（ウエスト部）に巻き付けるようにして取り付けられることによって、使用者の下半身を筒状に覆うこととなる。
【００１９】
ここで、第１取付布／第２取付布は、毛布本体のおもて面／裏面において、毛布本体の一方／他方の側縁部及びその近傍にわたって毛布本体の上縁部に沿って延びるものであって、複数のオス側ホック及び／又はメス側ホックは、その第１取付布に、その長さ方向に沿って固定されたものであり、複数のメス側ホック及び／又はオス側ホックは、その第２取付布に、その長さ方向に沿って固定されたものである。
すなわち、毛布本体のおもて面の複数のオス側ホック及び／又はメス側ホック、並びに、毛布本体の裏面の複数のメス側ホック及び／又はオス側ホックは、ともに、取付布（第１取付布・第２取付布）を介して、毛布本体の各々の側縁部及びその近傍にわたって毛布本体の上縁部に沿って設けられているといえる。このため、上述の結合の際に、重ね代を有し得ることとなる。
このため、この考案の腰巻き用毛布では、使用中において、筒状をなす毛布本体の一対の側縁部の隙間からはだけることが防止又は低減され得る。
【００２０】
また、この考案の腰巻き用毛布では、毛布本体の上縁部に沿ってゴム紐が設けられ、毛布本体の当該部分が弾性的な収縮状態にされているため、そのゴム紐が弾性的に伸ばされることによって、種々のウエストサイズの使用者に対しても取り付け可能である。
また、その取り付け状態において、ゴム紐の弾性復元力に基づいて、毛布本体のうちゴム紐が設けられている部分に張力が生じ、その張力によって、使用者の腰に取り付けられた状態が維持される。
こうして、使用者の下半身を安定的に保温することが可能となるのである。
以上のように、この考案の腰巻き用毛布では、使用者の下半身を有効に保温することが可能である。
【００２１】
また、この考案の腰巻き用毛布では、毛布本体の一対の側縁部及び／又はその近傍同士を結合するものがホック（オス側ホック・メス側ホック）であるとともに、容易にかつ確実に、その結合を行うことができる。
それとともに、毛布本体は多数の毛を有しているために、ホック（オス側ホック・メス側ホック）を毛布本体に対して直接的に取り付けることは困難であるが、この考案の腰巻き用毛布では、取付布（第１取付布・第２取付布）を介して取り付けられるため、容易に取り付けられることとなる。すなわち、ホック（オス側ホック・メス側ホック）は布状の取付布（第１取付布・第２取付布）に対して容易に取り付けることができ、布状の取付布（第１取付布・第２取付布）は毛布本体に対して容易に取り付けることができるのである。
【００２２】
請求項３に係る考案は、請求項２に係る考案の腰巻き用毛布であって、前記毛布本体は、化学繊維によって形成されており、前記第１取付布及び前記第２取付布は、天然繊維によって形成されている、腰巻き用毛布である。
【００２３】
この考案の腰巻き用毛布では、請求項２に係る考案の腰巻き用毛布の作用効果に加えて、次の作用効果が得られる。
すなわち、毛布本体が化学繊維によって形成されている場合は、その表面が滑りやすい等のために、ホック（オス側ホック・メス側ホック）を直接的に毛布本体に対して取り付けることが特に困難であるが、取付布（第１取付布・第２取付布）を介することによって、容易に取り付けることが可能となるのである。
また、取付布（第１取付布・第２取付布）が天然繊維によって形成されているため、その表面が滑りにくく、ホック（オス側ホック・メス側ホック）を取付布（第１取付布・第２取付布）に対して取り付けること、及び、取付布（第１取付布・第２取付布）を毛布本体に対して取り付けることが、より容易なものとなるのである。
【００２４】
請求項４に係る考案は、請求項２又は請求項３に係る考案の腰巻き用毛布であって、前記複数のオス側ホック及び／又はメス側ホックのすべてがオス側ホック及びメス側ホックのうちの一方であり、前記複数のメス側ホック及び／又はオス側ホックのすべてがオス側ホック及びメス側ホックのうちの他方であり、それらはすべて同一の間隔を隔てて設けられている、腰巻き用毛布である。
【００２５】
「すべて同一の間隔を隔てて」とは、毛布本体のおもて面に設けられた第１取付布に固定された複数のオス側ホック及びメス側ホックのうちの一方が、各々同一の間隔を隔てており、毛布本体の裏面に設けられた第２取付布に固定された複数のオス側ホック及びメス側ホックのうちの他方も、各々同一の間隔を隔てており、その両間隔も同一であることをいう。
【００２６】
この考案の腰巻き用毛布では、請求項２又は請求項３に係る考案の腰巻き用毛布の作用効果に加えて、次の作用効果が得られる。
この考案の腰巻き用毛布では、第１取付布／第２取付布は、毛布本体のおもて面／裏面において、毛布本体の一方／他方の側縁部及びその近傍にわたって毛布本体の上縁部に沿って延びるものであるところ、その第１取付布に、オス側ホック及びメス側ホックのうちの一方が、当該第１取付布の長さ方向に沿って同一間隔を隔てて複数固定され、その第２取付布に、オス側ホック及びメス側ホックのうちの他方が、当該第２取付布の長さ方向に沿って同一間隔を隔てて複数固定されており、その両間隔も同一である。
すなわち、毛布本体のおもて面において、毛布本体の一方の側縁部及びその近傍にわたって、第１取付布を介して、オス側ホック及びメス側ホックのうちの一方が、毛布本体の上縁部に沿って同一間隔を隔てて複数設けられ、毛布本体の裏面において、毛布本体の他方の側縁部及びその近傍にわたって、第２取付布を介して、オス側ホック及びメス側ホックのうちの他方が、毛布本体の上縁部に沿って同一間隔を隔てて複数設けられており、その両間隔も同一である。
このため、毛布本体のおもて面の一方の側縁部（及びその近傍）と毛布本体の裏面の他方の側縁部（及びそのその近傍）とを結合させる際に、種々の結合方法があり得る。
すなわち、複数のオス側ホック及びメス側ホックのうちの一方のすべてと、複数のオス側ホック及びメス側ホックのうちの一方のすべてとを結合させる、という態様に限らず、その種々の一部同士を結合させることも可能である。
このようにして、この考案の腰巻き用毛布では、種々の結合方法をとることによって、結合状態における毛布本体の上縁部の長さを調整することができる。
こうして、ゴム紐の弾性的な伸縮に加えて、毛布本体の上縁部の本来的な長さを調整することが可能となり、より広範囲のウエストサイズの使用者に対して取り付け可能となるのである。
【図面の簡単な説明】
【００２７】
【図１】本考案の一実施例の腰巻き用毛布を示す斜視図である。
【図２】本考案の一実施例の腰巻き用毛布を示す分解斜視図である。
【図３】本考案の一実施例の腰巻き用毛布の使用方法を示す図である。
【図４】本考案の一実施例の腰巻き用毛布の第１の使用状態を示す図である。
【図５】本考案の一実施例の腰巻き用毛布の第２の使用状態を示す図である。
【考案を実施するための形態】
【００２８】
次に、本考案の一実施例について図面に基づいて説明する。
図１及び図２に示すように、この腰巻き用毛布１０は、毛布本体２０，ゴム紐３０，第１取付布４０ａ・第２取付布４０ｂ，ともに複数のオス側ホック５０ａ・メス側ホック５０ｂを有している。
【００２９】
毛布本体２０（この腰巻き用毛布１０）は、長方形状をしており、上縁部・下縁部（いずれも符号省略），両者をつなぐ一対の側縁部（第１側縁部２２ａ・第２側縁部２２ｂ）を有している。
毛布本体２０は、アクリル，ポリエステル等の化学繊維によって形成されており、文字通り多数（無数）の毛を有しているとともに、大きな可撓性を有している。
この腰巻き用毛布１０（毛布本体２０）の幅（上縁部の長さ）は、ゴム紐３０による収縮を考慮しつつ、標準的な使用者のウエストサイズを基本に設定されている。
【００３０】
毛布本体２０には、その上縁部に沿って、次のようにゴム紐３０が取り付けられている。
毛布本体２０は、その上縁部（本来の上縁部）の近傍において内側に折り曲げられるとともに、その折り曲げ部られた部分（被折り曲げ部２８）は、その下縁部（折り曲げ前の本来の上縁部）において毛布本体２０に対して縫い付けられており、筒状の挿入部（符号省略）が形成されている。
ゴム紐３０は、その挿入部内に挿入され、その各端部は、第１取付布４０ａ・第２取付布４０ｂの近傍において、毛布本体２０に対して縫い付けられて固定されている。
ゴム紐３０の自然状態の長さは、毛布本体２０のうちのゴム紐３０が取り付けられる部分の長さよりも短い。このため、毛布本体２０の上縁部（そのうち第１取付布４０ａ・第２取付布４０ｂが取り付けられている部分を除く）は、通常は弾性的に収縮している。
【００３１】
第１取付布４０ａ及び第２取付布４０ｂは、次のように毛布本体２０に対して取り付けられている。
第１取付布４０ａ，第２取付布４０ｂとも、細長い帯状をしており、木綿等、天然素材の布によって形成されている。
第１取付布４０ａは、毛布本体２０のおもて面２５Ａの上縁部において、第１側縁部２２ａ及びその近傍にわたって縫い付けられて固定されている。第１取付布４０ａは、毛布本体２０の上縁部（その長さ方向）に沿って延びている。
【００３２】
第２取付布４０ｂは、毛布本体２０の裏面２５Ｂの上縁部（被折り曲げ部２８）において、第２側縁部２２ｂ及びその近傍にわたって縫い付けられて固定されている。第２取付布４０ｂも、毛布本体２０の上縁部（その長さ方向）に沿って延びている。
なお、前述したように、毛布本体２０は、その本来の上縁部の近傍で内側に折り曲げられ、その被折り曲げ部２８が毛布本体２０に縫い付けられており、その結果、被折り曲げ部２８については、そのうち本来はおもて面２５Ａであったものが、裏側に位置している。このように、毛布本体２０のうち最終的に裏側に位置する面は、裏面２５Ｂに該当するものとする。
【００３３】
そして、複数（例えば４つ）のオス側ホック５０ａが、第１取付布４０ａに対して固定されている。すなわち、複数（４つ）のオス側ホック５０ａは、第１取付布４０ａを介して毛布本体２０に対して設けられているともいえる。
複数（４つ）のオス側ホック５０ａは、第１取付布４０ａの長さ方向に沿って（すなわち、毛布本体２０の上縁部に沿って）は、等間隔を隔てて設けられている。
【００３４】
それに対応して、複数（例えば４つ）のメス側ホック５０ｂが、第２取付布４０ｂに対して固定されている。すなわち、複数（４つ）のメス側ホック５０ｂは、第２取付布４０ｂを介して毛布本体２０に対して設けられているともいえる。
複数（４つ）のメス側ホック５０ｂは、第２取付布４０ｂの長さ方向に沿って（すなわち、毛布本体２０の上縁部に沿って）は、等間隔を隔てて設けられている。
複数（４つ）のオス側ホック５０ａ同士の間隔と、複数（４つ）のメス側ホック５０ｂ同士の間隔とは、同一である。
【００３５】
次に、この腰巻き用毛布１０の使用方法及び作用効果について、図３〜図５に基づいて説明する。
この腰巻き用毛布１０を使用する際は、その上縁部において使用者の腰（ウエスト部）に巻き付け、オス側ホック５０ａとメス側ホック５０ｂとを結合させる。こうして、使用者の下半身が覆われることになる。
【００３６】
その際、通常は、図３（ａ）に示すように、すべてのオス側ホック５０ａとすべてのメス側ホック５０ｂと結合させる。こうして、この腰巻き用毛布１０は、その上縁部において使用者の腰（ウエスト部）に対して巻き付け状態で固定される。
こうして、この腰巻き用毛布１０（毛布本体２０）の第１側縁部２２ａの側と同じく第２側縁部２２ｂの側とは、すべてのオス側ホック５０ａ／メス側ホック５０ｂに対応した重ね代をもって重ねられつつ、全体として筒状をなすこととなる。
ここで、この腰巻き用毛布１０（毛布本体２０）においては、その上縁部（毛布本体２０の上縁部）にゴム紐３０が設けられており、弾性的に伸縮可能であるため、標準的なウエストサイズを基本に、種々のウエストサイズの使用者に対して適用可能である。
【００３７】
しかしながら、標準よりかなり大きいウエストサイズの使用者の場合は、図３（ｂ）に示すように、複数（４つ）のオス側ホック５０ａのうち毛布本体２０の第１側縁部２２ａの側の一部（例えば２つ）と、複数（４つ）のメス側ホック５０ｂのうち毛布本体２０の第２側縁部２２ｂの側の一部（例えば２つ）とを結合させてもよい。
その場合は、この腰巻き用毛布１０（毛布本体２０）の第１側縁部２２ａの側と同じく第２側縁部２２ｂの側とは、一部（２つ）のオス側ホック５０ａ／メス側ホック５０ｂに対応した重ね代をもって重ねられる。上述の通常の場合と比較して重ね代は小さくなるが、適宜このようにすることによって、より広範囲のウエストサイズの使用者が使用可能となる。
【００３８】
以上のようにして、図４及び図５に示すように、この腰巻き用毛布１０は、その上縁部において使用者の腰に対して確実に取り付けられ、所定の重ね代を有して使用者の下半身を筒状に一巡する。このため、使用者の下半身が保温される。
その際、この腰巻き用毛布１０（毛布本体２０）の上縁部においては、ゴム紐３０（図１）によって弾性的に収縮する方向に張力が生じ、この腰巻き用毛布１０の上縁部は使用者の腰（ウエスト部）に確実に維持される。
このため、図４に示すように、椅子に座って勉強やデスクワークをしたり、さらには、図５に示すように、起立しつつ動いている状態であっても、この腰巻き用毛布１０は、その上縁部において使用者の腰に巻き付けられ使用者の下半身を覆う、という状態で維持される。
こうして、冬期等の寒い時期において、下半身を安定的に保温をすることが可能となるのである。
【００３９】
また、図１及び図２に基づいて前述したように、この腰巻き用毛布１０の毛布本体２０は、多数（無数）の毛を有しているとともに、化学繊維によって形成されていることから、毛布本体２０に対して直接的にホック（オス側ホック５０ａ，メス側ホック５０ｂ）を取り付けることが困難であるところ、天然素材によって形成された取付布（第１取付布４０ａ，第２取付布４０ｂ）を介することによって、容易にかつ確実に取り付けることが可能であり、上述した作用効果が確実に得られるのである。
【００４０】
なお、上記のものはあくまで本考案の一実施形態にすぎず、当業者の知識に基づき種々の変更を加えた態様で本考案を実施できることはもちろんである。
【００４１】
例えば、ホック（オス側ホック（５０ａ）・メス側ホック（５０ｂ））の数については、４つに限らず、５つ，６つ等、種々の数が適用され得る。
また、毛布本体（２０）の形状については長方形状に限らず、平行四辺形状，台形等、種々の形状が適用され得る。また、各縁部は、直線状でなくてもよく、曲線状であってもよい。
【符号の説明】
【００４２】
１０  腰巻き用毛布
２０  毛布本体
２２ａ  第１側縁部
２２ｂ  第２側縁部
２５Ａ  おもて面
２５Ｂ  裏面
３０  ゴム紐
４０ａ  第１取付布
４０ｂ  第２取付布
５０ａ  オス側ホック
５０ｂ  メス側ホック
【図１】
0003184078.tif 000003
【図２】
0003184078.tif 000004
【図３】
0003184078.tif 000005
【図４】
0003184078.tif 000006
【図５】
0003184078.tif 000007